(57)【要約】      （修正有）【課題】褥瘡を予防するための寝具を提供する。【解決手段】褥瘡を予防するための寝具であって、１）寝具を蜂の巣のように６角形に区切る空気を貯める部屋１を有し、２）６角形に区切ったそれぞれの部屋１の圧力を時間経過とともに自由に変えられる空気を送るパイプ２及びコンプレッサー３を有し、３）蜂の巣状の６角形の部屋１に、気体、液体、ジェルのうちどれか一つを封入し、圧力を個々に変えられる、以上の１）〜３）の構成からなる。【選択図】図１
0003226754.tif 000002
【実用新案登録請求の範囲】
【請求項１】
マットレス等の体に接する部分を細分化し、気体・液体・個体等で体にかかる負担を分散できるようにした物。
【請求項２】
0003226754.tif 000011
間の経過とともに替えることができる。
0003226754.tif 000012
かる圧力を分散できる。
【考案の詳細な説明】
【技術分野】
0003226754.tif 000003
圧力を時間経過と共に部分的に変えることができ、血流を確保し、褥瘡予防しようとするものである。
したがって、主に介護等の場において利用されることが想定される。
【背景技術】  従来は寝返りの出来ない人を予め時間を決めて人為的に寝返を打た
褥瘡予防をしている。このために使われる時間、労力は大変なものであ
このため、この時間・労力を軽減できれば、介護の負担が相当程度程
軽減できる。
【先行技術文献】
空気によりマットを膨らませる技術はすでにある。
0003226754.tif 000004
変えたりは出来ない。本考案はその問題を解決するものである。
【考案の概要】
【考案が解決しようとする課題】  従来の技術では単にマットレスを均一に膨らませる事しかできない。
これを細かく部屋を設けた。その圧力を変えることにより体にかかる圧力
0003226754.tif 000005
きる。圧力を変えるには定期的に自動で切り替え可能なソフトをインスト
したにコンプレッサー等を接続することが必要である
【考案が解決しようとする課題】
0003226754.tif 000006
褥瘡予防をしている。このために使われる時間、労力は大変なものであ
寝返りが打てない人の褥瘡を予防するためには、頻繁に人的労力・時
を使っての寝返りが欠かせない。本考案は、その人的な労力・時間を軽
するものである。
【課題を解決するための手段】
0003226754.tif 000007
分の圧力を変えることにより体にかかる負担を時間を決めて替ることによ
てマットレス等に接している部分の血流を確保する者である。
血流が確保されることにより褥瘡を予防するものである。
【考案の効果】  定期的に体への圧力を替えることにより、褥瘡を予防する効果が期待
る。つまり、身体にかかる圧力を定期的にしかも自動的に変えることによ
0003226754.tif 000008
金銭的な負担も大きく軽減出来る。
【図面の簡単な説明】
【図１】（図１）本考案のマットレスの一部切欠断面図である
【考案を実施するための形態】
マットレスに細かく区切りを入れて空気による圧力をぞれぞれに替える
により身体にかかる圧力を分散できる。圧力は空気の他にも気体あるい
液体、固体、ジェル等でも可能である。
0003226754.tif 000009
うに細かい空気等をパイプにより順番に送り圧力を分散させ、血液の鬱
を軽減できる。
0003226754.tif 000010
労力的な負担が軽減できる。
以下、添付書面に従って説明する。
【実施例】  以下、添付図面に従って一実施例を説明する。４はマットレス
本体、３はマットレスの細かい部屋に空気等を送り込む機械、
２は気密性の部材でできたパイプ、１は気密性の部材で出来体触れる部分。この体に触れる部分が順次体に触れることによって体にか
る圧力を軽減することができる。
なお、この図面ではパイプを２系統に簡略化しているが、系統は多いほ
効果的である。
【符号の説明】  １  は細分化された空気を貯める部屋
２  細分化された部屋に空気を送るパイプ
３  コンプレッサー等
４  マットレス本体
【図１】
0003226754.tif 000013
【手続補正書】
【提出日】令和1年9月5日(2019.9.5)
【手続補正１】
【補正対象書類名】実用新案登録請求の範囲
【補正対象項目名】全文
【補正方法】変更
【補正の内容】
【実用新案登録請求の範囲】
【請求項１】
寝具の体に接する部分を細分化し、気体・液体・個体等で体にかかる負担を自在としたところを特徴とする寝具。
【請求項２】
寝具を細分化することによって体にかかる負担を分散することを特徴とする請求項１の褥瘡を予防するための寝具。
【手続補正２】
【補正対象書類名】明細書
【補正対象項目名】全文
【補正方法】変更
【補正の内容】
【考案の詳細な説明】
【技術分野】
【０００１】  本考案は、寝返りの打てない人の褥瘡を予防するために身体にかかる圧力を時間経過と共に部分的に変えることができ、血流を確保し、褥瘡を予防しようとするものである。
したがって、主に介護等の場において利用されることが想定される。
【背景技術】
【０００２】  従来は寝返りの出来ない人を予め時間を決めて人為的に寝返を打たせ、褥瘡予防をしている。このために使われる時間、労力は大変なものである。
このため、この時間・労力を軽減できれば、介護の負担が相当程度程度軽減できる。
【先行技術文献】
空気によりマットを膨らませる技術はすでにある。
マットレス等を空気により膨らませるだけでは体にかかる圧力を分散したり変えたりは出来ない。本考案はその問題を解決するものである。
【考案の概要】
考案が解決しようとする課題
従来の技術では単にマットレスを均一に膨らませる事しかできない。これを細かく部屋を設けた。その圧力を変えることにより体にかかる圧力を時間と共に替えることができ、血流を体全体に滞ることなく確保することができる。圧力を変えるには定期的に自動で切り替え可能なソフトをインストールしたにコンプレッサー等を接続することが必要である
【考案が解決しようとする課題】  現在は寝返りの出来ない人を予め時間を決めて人為的に寝返りを、うたせ、褥瘡予防をしている。このために使われる時間、労力は大変なものである。寝返りが打てない人の褥瘡を予防するためには、頻繁に人的労力・時間を使っての寝返りが欠かせない。本考案は、その人的な労力・時間を軽減するものである。
【課題を解決するための手段】  本考案は、マットレス等の体に触れる部分を細分化し、その細分化した部分の圧力を変えることにより体にかかる負担を時間を決めて替ることによってマットレス等に接している部分の血流を確保する者である。
血流が確保されることにより褥瘡を予防するものである。
【考案の効果】  定期的に体への圧力を替えることにより、褥瘡を予防する効果が期待できる。つまり、身体にかかる圧力を定期的にしかも自動的に変えることにより、血流を確保することができ、褥瘡の予防できる。また、介護にかかる人的、金銭的な負担も大きく軽減出来る。
【図面の簡単な説明】
【図１】本考案のマットレスの一部切欠断面図である
【考案を実施するための形態】
マットレスに細かく区切りを入れて空気による圧力をぞれぞれに替えることにより身体にかかる圧力を分散できる。圧力は空気の他にも気体あるいは液体、固体、ジェル等でも可能である。マットレス等を細かい部屋のように分け、その中に空気等を順次送ることにより、寝ている人の体にかかる負担を分散させることができる。図１に示すように細かい空気等をパイプにより順番に送り圧力を分散させ、血液の鬱血を軽減できる。
介護者は、要介護者をこのマットレス等に寝かせるだけでかなりの時間的労力的な負担が軽減できる。
【実施例】  以下、添付書面に従って説明する。
本体、３はマットレスの細かい部屋に空気等を送り込む機械、２は気密性の部材でできたパイプ、１は気密性の部材で出来体に触れる部分。
この体に触れる部分が順次体に触れることによって体にかかる圧力を軽減することができる。
なお、この図面ではパイプを２系統に簡略化しているが、系統は多いほど効果的である。
【符号の説明】１  は細分化された空気を貯める部屋
２  細分化された部屋に空気を送るパイプ
３  コンプレッサー等
４  マットレス本体
【手続補正書】
【提出日】令和2年1月9日(2020.1.9)
【手続補正１】
【補正対象書類名】実用新案登録請求の範囲
【補正対象項目名】全文
【補正方法】変更
【補正の内容】
【実用新案登録請求の範囲】
【請求項１】
寝具の体に接する部分を添付図面のように蜂の巣型にすることによって細分化しその個々の圧力を自由に変えることによって体にかかる圧力を分散し褥瘡を予防する効果を得ることができる。
圧力を変える方法はそれぞれの細分化された個に液体、気体又はジェルを封入し、その圧力を個々に変えることによって行う。
【請求項２】
請求項１で述べているように寝具を添付図面のように蜂の巣型に細分化することを特徴とする褥瘡を予防する寝具。
【手続補正書】
【提出日】令和2年3月30日(2020.3.30)
【手続補正１】
【補正対象書類名】実用新案登録請求の範囲
【補正対象項目名】全文
【補正方法】変更
【補正の内容】
【実用新案登録請求の範囲】
【請求項１】
本考案は褥瘡を予防するための寝具であり  よぼうするにおいて
１）寝具を蜂の巣のように６角形に区切る。
２）６角形に区切ったそれぞれの圧力を時間経過とともに自由に変えられるようにする
３）蜂の巣状の６角形の圧力を気体、液体、ジェルのうちどれか一つを用いてカッコに変えられる
以上の１）〜３）かの構成からなる寝具である。
【手続補正２】
【補正対象書類名】明細書
【補正対象項目名】全文
【補正方法】変更
【補正の内容】
【考案の詳細な説明】
【技術分野】
【０００１】  褥瘡を予防するにおいて
（１）蜂の巣状の一つひとつの圧力を変える
（２）体全体の血流を確保する
【背景技術】
【０００２】  従来は寝返りの出来ない人を予め時間を決めて人為的に寝返を打たせ、褥瘡予防をしている。このために使われる時間、労力は大変なものである。
このため、寝具の体に接する部分を蜂の巣状に細分化しその圧力を自由に時間を決めて変えられるようにすれば介護にかかる時間労力の負担を相当程度軽減できる。
【先行技術文献】
空気によりマットを膨らませる技術はすでにある。
マットレス等を空気により膨らませるだけでは体にかかる圧力を分散したり変えたりは出来ない。本考案はその問題を解決するものである。
【考案の概要】
考案が解決しようとする課題
従来の技術では単にマットレスを均一に膨らませる事しかできない。これを細かく部屋を設けた。その圧力を変えることにより体にかかる圧力を時間と共に替えることができ、血流を体全体に滞ることなく確保することができる。圧力を変えるには定期的に自動で切り替え可能なソフトをインストールしたにコンプレッサー等を接続することが必要である
【考案が解決しようとする課題】  現在は寝返りの出来ない人を予め時間を決めて人為的に寝返りを、うたせ、褥瘡予防をしている。このために使われる時間、労力は大変なものである。寝返りが打てない人の褥瘡を予防するためには、頻繁に人的労力・時間を使っての寝返りが欠かせない。本考案は、その人的な労力・時間を軽減するものである。
【課題を解決するための手段】  本考案は、マットレス等の体に触れる部分を細分化し、その細分化した部分の圧力を変えることにより体にかかる負担を時間を決めて替ることによってマットレス等に接している部分の血流を確保する者である。
血流が確保されることにより褥瘡を予防するものである。
【考案の効果】  定期的に体への圧力を替えることにより、褥瘡を予防する効果が期待できる。つまり、身体にかかる圧力を定期的にしかも自動的に変えることにより、血流を確保することができ、褥瘡の予防できる。また、介護にかかる人的、金銭的な負担も大きく軽減出来る。
【図面の簡単な説明】
【図１】本考案のマットレスの一部切欠断面図である
【考案を実施するための形態】
マットレスに細かく区切りを入れて空気による圧力をぞれぞれに替えることにより身体にかかる圧力を分散できる。圧力は空気の他にも気体あるいは液体、固体、ジェル等でも可能である。マットレス等を細かい部屋のように分け、その中に空気等を順次送ることにより、寝ている人の体にかかる負担を分散させることができる。図１に示すように細かい空気等をパイプにより順番に送り圧力を分散させ、血液の鬱血を軽減できる。
介護者は、要介護者をこのマットレス等に寝かせるだけでかなりの時間的労力的な負担が軽減できる。
【実施例】  以下、添付書面に従って説明する。
本体、３はマットレスの細かい部屋に空気等を送り込む機械、２は気密性の部材でできたパイプ、１は気密性の部材で出来体に触れる部分。
この体に触れる部分が順次体に触れることによって体にかかる圧力を軽減することができる。
なお、この図面ではパイプを２系統に簡略化しているが、系統は多いほど効果的である。
【符号の説明】
【０００１】１  は細分化された空気を貯める部屋【０００２】２  細分化された部屋に空気を送るパイプ【０００３】３  コンプレッサー等【０００４】４  マットレス本体